【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
互いに対向して配置された一対の基板間に液晶層を挟持してなる液晶表示装置であって、
前記一対の基板のうち一方の基板の前記液晶層側にカラーフィルタ層が設けられるとともに、該カラーフィルタ層を貫通する開口領域が設けられており、
前記開口領域内に、前記一対の基板の間隔を保持するスペーサが配置されていることを特徴とする液晶表示装置。
【請求項２】
前記カラーフィルタ層が、複数色の着色部を具備してなり、
前記開口領域が、複数の前記着色部同士の境界領域と平面的に重なる位置に設けられていることを特徴とする請求項１に記載の液晶表示装置。
【請求項３】
前記着色部が平面視略マトリクス状に配列されており、
前記開口領域が、平面視略格子状を成す前記境界領域の交点に設けられていることを特徴とする請求項２に記載の液晶表示装置。
【請求項４】
前記開口領域が、行方向の前記境界領域と列方向の前記境界領域の各交点に設けられていることを特徴とする請求項２に記載の液晶表示装置。
【請求項５】
前記開口領域が、一方向に配列形成され、
前記開口領域のそれぞれに、前記スペーサが配置されていることを特徴とする請求項４に記載の液晶表示装置。
【請求項６】
前記開口領域が、一方向に配列形成され、
前記開口領域に対して間欠的に前記スペーサが配置されていることを特徴とする請求項４に記載の液晶表示装置。
【請求項７】
前記スペーサが、前記開口領域の配列方向に沿って周期的に配置されていることを特徴とする請求項６に記載の液晶表示装置。
【請求項８】
前記境界領域に、非透光性の遮光部が延在していることを特徴とする請求項２から７のいずれか１項に記載の液晶表示装置。
【請求項９】
前記開口領域が、前記遮光部の非形成領域であることを特徴とする請求項８に記載の液晶表示装置。
【請求項１０】
前記遮光部が、前記一対の基板のうち前記カラーフィルタ層が形成された基板に対向配置された基板の液晶層側に設けられていることを特徴とする請求項８に記載の液晶表示装置。
【請求項１１】
前記対向配置された基板の前記液晶層側に、液晶駆動用のスイッチング素子が設けられており、
前記スイッチング素子に電気的に接続された信号配線が、前記遮光部を兼ねていることを特徴とする請求項１０に記載の液晶表示装置。
【請求項１２】
基板上に、開口領域を有するカラーフィルタ層を形成するカラーフィルタ層形成工程と、前記開口領域内にスペーサを形成するスペーサ形成工程と、を含み、
前記カラーフィルタ層形成工程において、前記開口領域が形成される領域を除く前記基板上の領域に、複数色の着色部をパターン形成することを特徴とする液晶表示装置の製造方法。
【請求項１３】
前記カラーフィルタ層形成工程が、複数の前記着色部同士の境界領域に延在する遮光部を形成する遮光部形成工程を含み、
前記遮光部形成工程において、前記開口領域が形成される領域を除く前記基板上の領域に前記遮光部をパターン形成することを特徴とする請求項１２に記載の液晶表示装置の製造方法。
【請求項１４】
請求項１から１１のいずれか１項に記載の液晶表示装置を備えたことを特徴とする電子機器。
【手続補正２】
【補正対象書類名】明細書
【補正対象項目名】０００６
【補正方法】変更
【補正の内容】
【０００６】
本発明は、互いに対向して配置された一対の基板間に液晶層を挟持してなる液晶表示装置であって、前記一対の基板のうち一方の基板の前記液晶層側にカラーフィルタ層が設けられるとともに、該カラーフィルタ層を貫通する開口領域が設けられており、前記開口領域内に、前記一対の基板の間隔を保持するスペーサが配置されていることを特徴とする。
この構成によれば、基板間隔を一定に保持するためのスペーサが、カラーフィルタ層を貫通して設けられた開口領域内に立設されているので、基板面からのスペーサの突出高さが、カラーフィルタ層の層厚ばらつきに影響されることが無くなる。これにより、スペーサの突出高さを基板面内で均一化することができ、スペーサによって形成されるセルギャップを均一化できるので、高コントラストの表示を得ることができる。
【手続補正３】
【補正対象書類名】明細書
【補正対象項目名】０００７
【補正方法】変更
【補正の内容】
【０００７】
本発明の液晶表示装置では、前記カラーフィルタ層が、複数色の着色部を具備してなり、前記開口領域が、複数の前記着色部同士の境界領域と平面的に重なる位置に設けられている構成とすることができる。この構成によれば、ドット毎に異なる色光を出力可能にする着色部の境界に前記開口領域が設けられているので、係る開口領域にスペーサが立設される。したがって、画素の開口率を維持しつつセルギャップの均一化を実現でき、高輝度、高コントラストの表示が可能な液晶表示装置を提供することができる。
【手続補正４】
【補正対象書類名】明細書
【補正対象項目名】０００８
【補正方法】変更
【補正の内容】
【０００８】
本発明の液晶表示装置では、前記着色部が平面視略マトリクス状に配列されており、前記開口領域が、平面視略格子状を成す前記境界領域の交点に設けられている構成とすることができる。この構成によれば、開口領域及びスペーサによる開口率の低下をさらに抑えることができ、表示輝度の向上を図ることができる。
【手続補正５】
【補正対象書類名】明細書
【補正対象項目名】０００９
【補正方法】変更
【補正の内容】
【０００９】
本発明の液晶表示装置では、前記開口領域が、行方向の前記境界領域と列方向の前記境界領域の各交点に設けられている構成とすることができる。
この構成によれば、カラーフィルタ層を横断する列を成して開口領域が配列形成されるので、当該開口領域にスペーサを設けることでセルギャップの均一性をさらに高めることができ、さらには、アライメントずれによって漏れ光が生じた場合にも表示むらを生じ難い液晶表示装置とすることができる。
【手続補正６】
【補正対象書類名】明細書
【補正対象項目名】００１０
【補正方法】変更
【補正の内容】
【００１０】
本発明の液晶表示装置では、前記開口領域が、一方向に配列形成され、前記開口領域のそれぞれに、前記スペーサが配置されている構成とすることができる。この構成によれば、一列に配列されたスペーサによって基板間隔を保持するので、セルギャップの均一性をさらに良好なものとすることができる。
【手続補正７】
【補正対象書類名】明細書
【補正対象項目名】００１１
【補正方法】変更
【補正の内容】
【００１１】
本発明の液晶表示装置では、前記開口領域が、一方向に配列形成され、前記開口領域に対して間欠的に前記スペーサが配置されている構成とすることもできる。スペーサを高密度に配置するならば、セルギャップの均一性を向上させる効果は大きくなるが、その一方で、液晶表示装置の製造時に対向配置した基板間に液晶を注入するのが困難になり、歩留まり低下や製造コストの上昇をまねくおそれがある。そこで本構成のように間欠的にスペーサを配置すれば、製造上の問題を効果的に防止しつつセルギャップの均一化を図ることができる。
【手続補正８】
【補正対象書類名】明細書
【補正対象項目名】００１３
【補正方法】変更
【補正の内容】
【００１３】
本発明の液晶表示装置では、前記境界領域に、非透光性の遮光部が延在していることが好ましい。この構成によれば、前記着色部と境界領域とのコントラストを高めることができ、鮮明な表示を得ることができる。
【手続補正９】
【補正対象書類名】明細書
【補正対象項目名】００１６
【補正方法】変更
【補正の内容】
【００１６】
本発明の液晶表示装置では、前記遮光部が、前記一対の基板のうち前記カラーフィルタ層が形成された基板に対向配置された基板の液晶層側に設けられている構成とすることもできる。すなわち遮光部の形成位置は、カラーフィルタ基板に限定されない。
【手続補正１０】
【補正対象書類名】明細書
【補正対象項目名】００１７
【補正方法】変更
【補正の内容】
【００１７】
本発明の液晶表示装置では、前記対向配置された基板の前記液晶層側に、液晶駆動用のスイッチング素子が設けられており、前記スイッチング素子に電気的に接続された信号配線が、前記遮光部を兼ねていることが好ましい。アクティブマトリクス方式の液晶表示装置において、前記遮光部をカラーフィルタ基板と反対側の素子基板に設ける場合、素子基板上の信号配線によって遮光部を形成することができる。
【手続補正１１】
【補正対象書類名】明細書
【補正対象項目名】００１８
【補正方法】変更
【補正の内容】
【００１８】
本発明の液晶表示装置の製造方法は、基板上に、開口領域を有するカラーフィルタ層を形成するカラーフィルタ層形成工程と、前記開口領域内にスペーサを形成するスペーサ形成工程と、を含み、前記カラーフィルタ層形成工程において、前記開口領域が形成される領域を除く前記基板上の領域に、複数色の着色部をパターン形成することを特徴とする。
この製造方法によれば、カラーフィルタ層に設けられた開口領域内にスペーサを立設するので、カラーフィルタ層の層厚ばらつきに影響されることなく基板上にスペーサを立設できる。これにより、基板面からのスペーサの突出高さを均一化できるので、セルギャップが均一で、高コントラストの表示が可能な液晶表示装置を製造することができる。そして、前記カラーフィルタ層を構成する着色部をパターン形成する際に同時に前記開口領域を形成するので、工数の増加を伴うことなく容易かつ高精度に前記開口領域を形成することができる。